(57)【要約】【課題】庫内に常時点灯している照明を備えた保存庫において、一目で電源が入っていることを確認できるようにする。【解決手段】前面扉３が前後に移動されることにより断熱容器２内外に出し入れされる収納ケース９と、前面扉３の後面側から前面側まで前面扉３を前後に貫通し、照明２３に対向して配置された前面扉３の後面側に露出する後面側端部２４ａ及び後面側端部２４ａの位置より下方に配置された前面扉３の前面側に露出する前面側端部２４ｂを有し、光が透過する透明樹脂部材で形成され、後面側端部２４ａから流入した照明２３の光が内部を透過して前面側端部２４ｂで見えるように設けた導光板２４を備え、前面扉３を開けなくても保存庫（冷蔵庫１）に電源が入って運転されていることを保存庫の外側前方から一目で確認することができるようにした。【選択図】図３
2019019987.tif 000002
【特許請求の範囲】
【請求項１】
外箱、前記外箱の内側に設けられた内箱及び前記外箱と前記内箱の間に設けられた断熱材を有する前面が開放された断熱容器と、
前記断熱容器に取り付けられた温度調整装置と、
前記断熱容器の内箱天面の前方に設けられ、前記温度調整装置の運転中に常時点灯する照明装置と、
前記照明装置を覆う透明樹脂部材で形成された照明カバーと、
前記内箱の左右側面板に設けられたレール部と、
前記レール部を介して前後に移動可能な左右フレームを裏面に有し、前記断熱容器の前面を開閉自在に塞ぐ前面扉と、
前記前面扉の後面側に取り付けられ、前記前面扉が前後に移動されることにより前記断熱容器内外に出し入れされる収納ケースと、
前記前面扉の後面側から前面側まで前記前面扉を前後に貫通し、前記照明装置に対向して配置された前記前面扉の後面側に露出する後面側端部及び前記後面側端部の位置より下方に配置された前記前面扉の前面側に露出する前面側端部を有し、光が透過する透明樹脂部材で形成され、前記後面側端部から流入した前記照明装置の光が内部を透過して前記前面側端部で見えるように設けた導光板と、を備えたことを特徴とする保存庫。
【請求項２】
前記照明装置は発光ダイオードにより照明するものであって、前記発光ダイオードは下側前方を照らすように垂直に対して０度〜２０度の角度の範囲で下側前方に向けて取り付けられ、前記導光板の前記後面側端部の上下方向の位置を前記発光ダイオードの発光部に対して４０度〜６０度の角度の範囲に配置したことを特徴とする請求項１記載の保存庫。
【請求項３】
前記照明装置に色付きの発光ダイオードを使用し、前記導光板に着色された光を透過させるようにしたことを特徴とする請求項１又は請求項２記載の保存庫。
【請求項４】
前記発光ダイオードに青色の光を発光する発光ダイオードを使用し、前記導光板に青色の光を透過させるようにしたことを特徴とする請求項３記載の保存庫。
【請求項５】
前記照明カバーを着色した透明樹脂部材で形成し、前記導光板に着色した光を透過させるようにしたことを特徴とする請求項１または請求項２に記載の保存庫。
【請求項６】
前記照明カバーを青色に着色した透明樹脂部材で形成し、前記導光板に青色の光を透過させるようにしたことを特徴とする請求項５記載の保存庫。
【請求項７】
前記導光板は、前記後面側端部より前記前面側端部が下方に位置するように水平に対して３０度〜５０度の範囲で傾斜して配置したことを特徴とする請求項１から請求項６のうちのいずれか１項記載の保存庫。
【請求項８】
前記前面扉は上面部に左右に広く開けた上面手掛け穴と、前記前面扉の前面上部に左右に広く開けた前面手掛け穴と、前記上面手掛け穴から前記前面手掛け穴まで貫通させた貫通穴部と、を形成したことを特徴とする請求項１から請求項７のうちのいずれか１項記載の保存庫。
【請求項９】
前記前面手掛け穴の下辺から前記上面手掛け穴の後辺へと繋がるように後方へ行くに従って上方へ斜めに傾斜させた前記前面扉の前面に、前記導光板の前記前面側端部を配置したことを特徴とする請求項８記載の保存庫。
【請求項１０】
前記導光板は、幅を１０ｍｍ〜３０ｍｍ、板厚を１ｍｍ〜４ｍｍの範囲で構成したことを特徴とする請求項１から請求項９のうちのいずれか１項記載の保存庫。
【請求項１１】
前記導光板の前記前面側端部は、シボ加工を施したことを特徴とする請求項１から請求項１０のうちのいずれか１項記載の保存庫。
【請求項１２】
前記前面扉は、前面側を形成する前側部材及び後面側を形成する後側部材を有し、
前記前面扉の前記前側部材に形成された突形状部と、
前記導光板の前記後面側端部に設けられ、前記突形状部に引っ掛けられた係止部と、
前記前面扉の前記後側部材に形成され、前記導光板の前記後面側端部が嵌め込まれた後側穴部と、
前記前側部材と前記後側部材との間に充填された断熱材とを備えたことを特徴とする請求項１から請求項１１のうちのいずれか１項記載の保存庫。
【請求項１３】
収納物の収容量が１０〜４０リットルであることを特徴とする請求項１から請求項１２のうちのいずれか１項記載の保存庫。
【請求項１４】
請求項１から請求項１３のうちのいずれか１項記載の保存庫からなり、前記温度調整装置にペルチェ素子を使用して保冷を行うことを特徴とする電子冷蔵庫。
【請求項１５】
病院に設けられることを特徴する請求項１４記載の電子冷蔵庫。
【発明の詳細な説明】
【技術分野】
【０００１】
この発明は、飲料又は食品等（飲食物等）の収納物を低温保存したり、保温したりする小形の保存庫及び電子冷蔵庫に関するものである。
【背景技術】
【０００２】
従来の飲食物等の収納物を収納した庫内を、サーモモジュールにより保冷又は保温する小形の保存庫として、例えば、前面が開放された外箱、外箱の内側に設けられ、前面が開放された内箱及び外箱と内箱の間に設けられた断熱材を有する断熱容器と、断熱容器の内箱の左右側面板に設けられたレール部と、レール部を介して前後に移動可能な左右フレームを裏面に有し、断熱容器の前面を開閉自在に塞ぐ前面扉と、前面扉の裏面に固定され、前面扉が前後に移動されることにより断熱容器内外に出し入れされる上方が開放された収納ケースとを備えたものがあった。
このような保存庫としては、断熱容器内の内箱の背面側を形成する伝熱板にペルチェ素子を利用したサーモモジュールが固定されており、このサーモモジュールにより飲食物等の収納物を冷却している。なお、サーモモジュールにはヒートシンクが接合されており、保存庫の背面側に設けられている背面カバーに固定されている送風ファンにより、ヒートシンクの熱を庫外に逃がしている。
また、断熱容器の前面上部には照明が設けられており、保存庫から引き出された収納ケース内を照らし、収納ケース内を見えやすくしている（例えば、特許文献１参照）。
【先行技術文献】
【特許文献】
【０００３】
【特許文献１】特許第５４６０８１７号公報（段落００３５、図１６〜図１８）
【発明の概要】
【発明が解決しようとする課題】
【０００４】
従来の保存庫は以上のように構成されていたので、保存庫に電源が入っていることを確認する方法としては、保存庫の前面扉を開けて照明が点灯していることを確認する、もしくは、背面側に設置されている送風ファンが回転していることを確認するしかなく、一目で電源が入っていることを確認することができないという課題があった。
【０００５】
この発明は、上記のような課題を解決するためになされたもので、電源が入っていることを一目で確認することができる保存庫を提供することを目的としている。
【課題を解決するための手段】
【０００６】
この発明に係る保存庫は、外箱、外箱の内側に設けられた内箱及び外箱と内箱の間に設けられた断熱材を有する前面が開放された断熱容器と、断熱容器に取り付けられた温度調整装置と、断熱容器の内箱天面の前方に設けられ、温度調整装置の運転中に常時点灯する照明装置と、照明装置を覆う透明樹脂部材で形成された照明カバーと、内箱の左右側面板に設けられたレール部と、レール部を介して前後に移動可能な左右フレームを裏面に有し、断熱容器の前面を開閉自在に塞ぐ前面扉と、前面扉の後面側に取り付けられ、前面扉が前後に移動されることにより断熱容器内外に出し入れされる収納ケースと、前面扉の後面側から前面側まで前面扉を前後に貫通し、照明装置に対向して配置された前面扉の後面側に露出する後面側端部及び後面側端部の位置より下方に配置された前面扉の前面側に露出する前面側端部を有し、光が透過する透明樹脂部材で形成され、後面側端部から流入した照明装置の光が内部を透過して前面側端部で見えるように設けた導光板と、を備えたことを特徴とする。
【発明の効果】
【０００７】
この発明によれば、前面扉に照明の光を透過する透明樹脂部材の導光板を備え、この導光板は前面扉を貫通して形成したので、前面扉表面に配置されている導光板の灯により保存庫に電源が入っていることを一目で確認することができる。
【図面の簡単な説明】
【０００８】
【図１】この発明の実施の形態１に係る冷蔵庫の前方から見た外観斜視図である。
【図２】この発明の実施の形態１に係る冷蔵庫の正面図である。
【図３】図２におけるＡ−Ａ線断面図である。
【図４】この発明の実施の形態１に係る冷蔵庫の前面扉を外して示す正面図である。
【図５】この発明の実施の形態１に係る冷蔵庫の前面扉を引き出した状態を後方から見た斜視図である。
【図６】図３におけるＢ部の拡大図である。
【図７】図７Ａ〜図７Ｃは、この発明の実施の形態１に係る冷蔵庫の導光板を示す図であり、図７Ａは上面図であり、図７Ｂは正面図であり、図７Ｃは右側面図である。
【図８】この発明の実施の形態１に係る冷蔵庫の前面扉の前側部材に導光板を組み付けた状態の説明斜視図である。
【図９】この発明の実施の形態１に係る冷蔵庫の前面扉の前側部材、導光板及び後側部材の組み立て説明する斜視図である。
【図１０】この発明の実施の形態１に係る冷蔵庫の他の例を説明する図６に相当する断面図である。
【発明を実施するための形態】
【０００９】
以下、この発明の実施の形態について図面を参照しながら詳細に説明する。
実施の形態１．
以下、この発明の実施の形態１を、図１〜図９に基づいて詳細に説明する。図１はこの発明の実施の形態１に係る冷蔵庫１の外観斜視図である。図２は冷蔵庫１の正面図である。図３は図２におけるＡ−Ａ線断面図である。図４は冷蔵庫１の前面扉３を外して示す正面図である。図５は冷蔵庫１の前面扉３を引き出した状態を後方から見た斜視図である。図６は図３におけるＢ部の拡大図である。図７Ａ〜図７Ｃはこの発明の実施の形態１に係る冷蔵庫１の導光板２４を示す図であり、図７Ａは上面図であり、図７Ｂは正面図であり、図７Ｃは右側面図である。図８はこの発明の実施の形態１に係る冷蔵庫１の前面扉３の前側部材３ａに導光板２４を組み付けた状態の説明斜視図である。図９はこの発明の実施の形態１に係る冷蔵庫１の前面扉３の前側部材３ａ、導光板２４及び後側部材３ｂの組み立て説明する斜視図である。
【００１０】
この実施の形態１では、保存庫の一例として庫内の温度を調節する温度調整装置に静かでコンパクトなサイズのペルチェ素子を利用したサーモモジュール１６（図３参照）を１個使用した小形の冷蔵庫（電子冷蔵庫）１を示している。図１等に示すように、冷蔵庫１は前面が開放された断熱容器２と断熱容器２の前面を塞ぐ前面扉３により外郭を形成している。また、図３等に示すように、断熱容器２は、内箱４と外箱５、内箱４と外箱５との間に介在するように注入された発泡断熱材等の断熱材（図示せず）で構成され、この断熱容器２により冷蔵庫１の内側と外側を断熱している。
【００１１】
次に前面扉３の構成について説明する。前面扉３も内部に発泡断熱材等の断熱材（図示せず）が充填され、冷蔵庫１の前面を断熱している。図３、図５等に示すように、この前面扉３の裏面の左右にはそれぞれ断熱容器２に対して前後に引き出し自在に支持される後方に長く形成された左フレーム６と右フレーム７の前端が固定され、また、左フレーム６と右フレーム７の後端部分をステー８で連結し、前面扉３、左右フレーム６，７及びステー８で形成される上方から見て枠形状に形成される収納部分に、飲食物等の収納物を収納する樹脂部材で形成された収納ケース９が着脱自在に嵌まり込んで固定されている。そして、断熱容器２から前面扉３を前後に出し入れすることで、前面扉３の後方に固定され上面を開放した箱形状の収納ケース９が、断熱容器２から前後に出し入れできるようにしており、収納ケース９を断熱容器２から前方へ引き出して、上方から障害が無い状態で飲食物等の収納物を容易に出し入れすることができる。
【００１２】
次に内箱４の構成について説明する。図３、図４に示すように内箱４はアルミ等の金属部材で構成された伝熱板１０と、伝熱板１０の左右を塞ぐ樹脂部材で形成された左側面板１１と右側面板１２とで前面を開放した箱形状に形成されている。左側面板１１と右側面板１２には左右フレーム６，７を前後に出し入れするためのレール部１１ａ，１２ａが形成され、そのレール部１１ａ，１２ａの前部には左右フレーム６，７が案内されるローラ１１ｂ，１２ｂがそれぞれ設けられている。
【００１３】
次に外箱５の構成について説明する。外箱５は左右側面と下面の３面を折曲げて一体に形成した前方から見て凹字形状の下方三面部材１３と、上面を形成する樹脂部材よりなる上面部材１４と、背面を覆う樹脂部材よりなる背面部材１５とで５面を形成している。なお、背面部材１５には伝熱板１０を冷却するサーモモジュール１６が固定されている。サーモモジュール１６はペルチェ素子からなり、断熱容器２の後壁において、収納穴が外箱５及び断熱材を貫通し、内箱４の伝熱板１０を成す金属板を残して形成され、この収納穴内にサーモモジュール１６が配設されるようにしている。また、このサーモモジュール１６と内箱４の伝熱板１０との間に熱伝導性のよいアルミ系合金の伝熱ブロック１７を介在させ、この伝熱ブロック１７を内箱４の伝熱板１０にねじ止めにより熱伝導される状態に接合して、サーモモジュール１６の利用側熱交換面部と内箱４の伝熱板１０とを伝熱ブロック１７を介し伝熱可能に接合している。なお、伝熱ブロック１７は、断熱材の注入により断熱容器２に一体的に固定されている。また、この伝熱ブロック１７に対し、サーモモジュール１６は、ねじ等により後面側から脱着自在に固定されている。
【００１４】
また、図３に示すように、サーモモジュール１６の熱源側熱交換面部と熱伝導的に接合されたヒートシンク１８が設けられ、このヒートシンク１８は上下に庫外空気を流通させて熱交換させるように、多数のアルミフィンが縦方向に配置されて構成されている。また、このヒートシンク１８を覆うように、断熱容器２の背面全体をカバーし、断熱容器２の後壁外側に電気部品（図示せず）等を収納するとともに、ヒートシンク１８を冷却する通風路を形成する背面カバー１９が設けられている。この背面カバー１９は前面を開放した略箱型に形成され、背面カバー１９の下面は後方に向かうに従って上方に傾斜して形成され、この下面から外気を吸い込む吸込口１９ａが開設されている。また、背面カバー１９の上面は、後方に向うに従って下方へ傾斜して形成され、この上面部分に排気口１９ｂが形成されている。
【００１５】
また、排気口１９ｂの内側に送風ファン２０が設けられ、冷蔵庫１の背面上部に配置された送風ファン２０の回転により、冷蔵庫１の下方の吸込口１９ａから吸い込んだ庫外空気がヒートシンク１８を通り熱交換して上方の排気口１９ｂから排出されるようにしている。なお、背面カバー１９の下面にはフィルタ２２が設けられ、ヒートシンク１８に流入する空気の中に混入する埃等を除去できるようにしている。このフィルタ２２は、内箱４の内面に付着したドレン水を溜めておく皿状のドレンパン２１に取り付けられており、ドレンパン２１を冷蔵庫１の前方へ引き抜くことでフィルタ２２も引き出されて取り外すことができる。
【００１６】
次に冷蔵庫１の通電ランプについて説明する。図４に示すように断熱容器２の左右ほぼ中央前面上部には照明（照明装置）２３が設けられ、前面扉３を開けると夜でも飲食物等の収納物が見えやすいようにしている。この照明２３にはこの例では発光ダイオード２３ａ（図６等参照）を１個用いており、電力をほとんど消費しないことや、前面扉３の開閉で照明を点けたり消したりする部品を不用とするように、冷蔵庫１に電源（図示せず）を投入すると発光ダイオード２３ａを常時点灯させるようにしている。図３，６に示すように前面扉３には光を透過するＰＳ樹脂（ポリスチレン樹脂）又はアクリル樹脂等の透明樹脂部材である導光板２４が配置され、前面扉３を貫通して形成されている。このため、冷蔵庫１の電源が入っている場合、冷蔵庫１の照明２３が点灯して前面扉３に設けられた導光板２４が光ることで、冷蔵庫１の電源が入っていることが一目で確認できる。なお、発光ダイオード２３ａは指向性が高く照射範囲が狭いため、導光板２４の配置場所によっては発光ダイオード２３ａの放射光が届きにくくなるので、導光板２４の後面側端部２４ａを図６のθ２に示すように発光ダイオード２３ａの照射角度６０°以内の位置に配置している。この導光板２４の後面側端部２４ａを発光ダイオード２３ａに対向して配置するθ２の角度は、検証の結果４０度から６０度の範囲の角度が導光板２４の内部に光を通すのに適している。
【００１７】
また、本実施の形態の構成は、飲食物等の収納物の収容量が１０〜４０リットルの小型の病院の病室等で利用する冷蔵庫１に適している。
【００１８】
このように、この実施の形態１によれば、前面扉３に照明２３の光を透過する透明樹脂部材の導光板２４を備え、この導光板２４を、前面扉３を貫通して形成したので、前面扉３表面に配置されている導光板２４の点灯により冷蔵庫１に電源が入っていることが一目で確認することができる。また、庫内を照明する発光ダイオード２３ａにより導光板２４で冷蔵庫１の運転を確認できるようにしたので、確認用の専用の発光ダイオード等を別途設ける必要が無く、安価に構成できるものが得られる。また、この例では前面扉３の導光板２４以外の部分は、前面扉３が閉まっている際には発光ダイオード２３ａの光が透過して外から見えないように冷蔵庫１を構成している。また、図１のＥ寸法に示す前面扉３の厚さ寸法は、小型の冷蔵庫１では断熱性能にもよるが、３０ｍｍから７０ｍｍ程度の範囲の厚さで構成されている。
【００１９】
さらに詳しく、この発明の実施の形態１について説明する。
まず、照明２３について説明する。図６の断面図に示すように白色光の発光ダイオード２３ａは、引き出した収納ケース９内を照らしやすいように発光部を下方に向けて配置しており、図６のθ１に示すように垂直線２３ｃで表すように垂直に対して０度から２０度の角度の範囲で前方に傾斜させて配置するとよく、この図６ではθ１＝１０度の角度にしている。また、この図６で発光ダイオード２３ａを保護する等の役割を持つ照明カバー２３ｂ及び導光板２４の断面を理解しやすいように塗りつぶして示しているが、前述のように無色（完全な無色は難しいので、若干色が有るものも含む）の透明な樹脂材料で形成して、発光ダイオード２３ａから発光した光が十分に透過できるようにしている。
【００２０】
そして、導光板２４は略平板形状に形成され発光ダイオード２３ａからの光が流入する後面側端部２４ａと光が通る導光部２４ｃ及びその光が流出する前面側端部２４ｂを備えている。このように、導光板２４は、前面扉３の後面側から前面側まで前面扉３を前後に貫通し、照明２３の近傍に対向して配置された前面扉３の後面側に露出する後面側端部２４ａ及び後面側端部２４ａの位置より下方に配置された前面扉３の前面側に露出する前面側端部２４ｂを有し、光が透過する透明樹脂部材で形成され、後面側端部２４ａから流入した照明２３の発光ダイオード２３ａの光が内部を透過して前面側端部２４ｂで見えるように設けているので、前面扉３を開けなくても冷蔵庫１に電源が入って冷却運転がされていることを冷蔵庫１の外側前方から一目で確認することができるという効果がある。
【００２１】
また、導光板２４の後面側端部２４ａの上下方向の位置を図６のθ２に示すように発光ダイオード２３ａの発光部のセンター位置から６０度より小さい角度の範囲に設けると光を取り込み易く、また、あまり角度が小さくなりすぎると光を取り込み難くなるので、範囲としてはθ２が４０度〜６０度の角度の範囲に後面側端部２４ａを配置するとよく、発光ダイオード２３ａの光を導光板２４の後面側端部２４ａに取り込み易いという効果が得られる。
【００２２】
次に、前面扉３を開閉させる手掛け部分の構成について説明する。図８、図９等に示すように、前面扉３は主に前面側を形成する前側部材３ａと後面側を形成する後側部材３ｂと、前側部材３ａと後側部材３ｂとの間に注入されて充填される断熱材で構成されている。そして、図１、図６等に示すように、この前面扉３には上面に左右に広く形成された略長方形状の上面手掛け穴３ｃが開設され、冷蔵庫１の使用者（図示せず）が上方から手を掛けて前面扉３を引っ張り前面扉３を開けて収納ケース９を引出し、飲食物等の収納物の出し入れを行えるようにしている。また、前面扉３の前面上部にも左右に広く形成された略長方形状の前面手掛け穴３ｄを形成して、使用者が前方からも手を掛けて前面扉３を引っ張って開けることができるようにしている。また、この上面手掛け穴３ｃと前面手掛け穴３ｄは貫通穴部３ｅにより図６に示すように連通するように形成されて、使用者が上方からも前方からも遮る物が無く、容易に手を掛けられるように形成している。また、このように構成することで、貫通穴部３ｅを通してタオル等（図示せず）を上面手掛け穴３ｃから前面手掛け穴３ｄに通してタオル等を引っ張る事で容易に前面扉３を開けることもでき、病院の病室等での利用に適しているという効果がある。つまり、前面扉３を塞ぐように磁石等で吸着しているガスケット２５を剥がす力又は収納ケース９内に飲食物等が多く収納されて重いと前面扉３を引き出すにもある程度の力が必要なため、タオル等を上面手掛け穴３ｃから前面手掛け穴３ｄに通してそのタオル等を引っ張る事で容易に前面扉３を開けることができるのは使い勝手がよいわけである。
【００２３】
また、貫通穴部３ｅは前面手掛け穴３ｄの下辺３ｆから上面手掛け穴３ｃの後辺３ｇへと繋がるように図６のθ３に示すように垂直に対して３０度から５０度の角度の範囲程度（この例では４０度）で後方へ行くに従って上方へ斜めに傾斜して形成し、この前面手掛け穴３ｄから覗く前面扉３の前面の一部となる貫通穴部３ｅの斜面に導光板２４の前面側端部２４ｂが見えるようにした前面側端部２４ｂを入り込ませる前側穴部３ｈを形成している。また、図９に示すように、この前側部材３ａの裏側には導光板２４の係止部２４ｄ（図７参照）が引っ掛けられる突形状部３ｊと導光板２４の前面側端部２４ｂが左右に移動しないように規制するガイド部３ｋを形成している。また、前面扉３の後側部材３ｂにも導光板２４の後面側端部２４ａを嵌まり込ませる後側穴部３ｉが開けられている。
【００２４】
次に導光板２４の構成についてさらに詳しく説明する。導光板２４は図７に示すように光を透過する無色（無色に近いものを含む）透明なＰＳ樹脂又はアクリル樹脂で形成（特にＰＳ樹脂が作りやすい）され、概略平板形状に形成したものである。そして、照明２３の発光ダイオード２３ａに対向して配置される略長方形状の後面側端部２４ａは発光ダイオード２３ａの光が流入しやすいように凸凹の少ない綺麗な平坦面にしている。また、後面側端部２４ａは前面扉３の後側部材３ｂに形成した後側穴部３ｉに嵌まり込み後面側が面一に露出するように導光部２４ｃに対して斜めに傾斜して形成されている。また、この実施の形態では前面側端部２４ｂも光が見え易いように凸凹の少ない綺麗な平坦面にしている。また、前面側端部２４ｂは前面扉３の前側部材３ａに形成した前側穴部３ｈに嵌まり込み前面扉３の前面側と面一に露出するように傾斜して形成されている。
【００２５】
また、導光板２４は左右の幅（図７のＣ寸法に示す）を１０ｍｍから３０ｍｍの範囲の寸法で、導光部２４ｃの厚さ（図７のＤ寸法に示す）を１ｍｍから４ｍｍの範囲で形成するとよく、その一例としては幅Ｃ寸法を２０ｍｍ程度、板厚Ｄ寸法を２ｍｍ程度にしたものが導光板２４を成形し易く、また、発光ダイオード２３ａからの光が見え易い。また、導光板２４の後面側端部２４ａより前面側端部２４ｂが下方に位置するように導光板２４を前方に行くに従って下方に傾斜する角度（図７のθ４に示す）は水平に対して３０度から５０度の角度範囲にするとよく、後面側端部２４ａから入った発光ダイオード２３ａの光が適度に弱められて前面側端部２４ｂに現れるので、前面側端部２４ｂが明る過ぎずに見易いという効果が有り、この図７の例ではθ４を４０度程度にしたものを示している。つまり、導光部２４ｃを水平に配置して発光ダイオード２３ａの光を前面扉３の前面に透過させると光が明るすぎて、例えば病院の病室に居る人には眩しすぎるが、この実施の形態のように導光部２４ｃが傾斜して長く形成されているので、光が導光部２４ｃを通る間に適度に弱められて前面側端部２４ｂに現れるようにしたこの構成がよいわけである。また、前面扉３の後側部材３ｂの後側穴部３ｉ及び前側部材３ａの前側穴部３ｈの位置は、この導光部２４ｃが傾斜して嵌まり込む導光板２４の後面側端部２４ａ及び前面側端部２４ｂの配置される位置にそれぞれ設けられているわけである。また、導光板２４を平板状に形成して板厚Ｄ寸法が１ｍｍ〜４ｍｍにするのが良い理由としては樹脂材料の成形性がよく、作りやすいという理由が有る。また、導光板２４の幅Ｃ寸法を１０ｍｍ〜３０ｍｍにするのが見え易くよい理由としては、これより狭いと表示としてわかり難く、これ以上広くても材料が多く必要になるからである。
【００２６】
また、導光板２４の左右方向の配置位置について説明する。導光板２４は照明２３と同様に左右の中心位置に設けられて、発光ダイオード２３ａと後面側端部２４ａの左右の配置位置を同じ位置にして発光ダイオード２３ａからの光が後面側端部２４ａから入り込みやすいようにしている。なお、後面側端部２４ａの左右の配置位置は発光ダイオード２３ａからの光が入り込む位置であれば発光ダイオード２３ａの位置から多少左右に（例えば左に１０ｍｍ程度、又は右に１０ｍｍ程度）ずれていてもよい。
【００２７】
そして、発光ダイオード２３ａからの光が照明カバー２３ｂを通過して導光板２４の後面側端部２４ａから流入し、傾斜して長く設けられた導光部２４ｃ内を直進したり導光部２４ｃ内で反射しながら進み適度に弱められて見易い明るさの光（灯かり）が前面側端部２４ｂに見え、冷蔵庫１に電源が入っていて冷却運転が行われていることが見易く容易に確認できるわけである。また、前面側端部２４ｂの位置が前面扉３の手掛け部（前面手掛け穴３ｄ）を形成するのに邪魔にならないという効果もある。また、導光板２４を板状に形成して後面側端部２４ａ及び前面側端部２４ｂを左右に広い長方形状にして配置しているので、後面側端部２４ａから発光ダイオード２３ａの光が入り込みやすく、前面側端部２４ｂも左右に広い長方形状なので樹脂を成形しやすく透過する光もむらにならず、表示としても見やすいものが得られる。
【００２８】
また、図８、図９により前面扉３への導光板２４の組み付け要領を説明する。前面扉３の前側部材３ａの後側に形成した突形状部３ｊに導光板２４の係止部２４ｄを引っ掛けるようにして前面側端部２４ｂをガイド部３ｋにガイドさせて前側穴部３ｈに差し込み導光板２４を前側部材３ａに係止させ、その状態の前側部材３ａに後側部材３ｂを重ね合わせると導光板２４の後面側端部２４ａが後側穴部３ｉに入り込み、導光板２４が前側部材３ａと後側部材３ｂの間にセットされる。そして断熱材を充填することで、断熱材が接着して前側部材３ａ、後側部材３ｂ及び導光板２４がしっかりと固定される。特に導光板２４を傾斜して長く、かつ平板状に形成しているので、導光板２４の表面積が広いため断熱材が広い面積で導光板２４に付着するので、導光板２４が前面扉３内にしっかりと固定されるわけである。
【００２９】
また、上記の例では照明２３の発光ダイオード２３ａは飲食物等の収納物が見えやすい白色ダイオードを用いたものを示したが、断熱容器２の前面上部に設けられた照明２３を色付きの発光ダイオード２３ａとするか、もしくは照明２３の外郭を覆う透明樹脂部材の照明カバー２３ｂを着色したものとしてもよく、そのようにして、色付きの光を導光板２４に透過させるようにして前面扉３表面に配置されている導光板２４の前面側端部２４ｂが着色されて点灯するようにすることで、消灯から点灯の明暗がはっきりし、室内が明るい状況でも冷蔵庫１に電源が入っていることが一目で確認することができるという効果が有る。
【００３０】
また、色付きの発光ダイオード２３ａを用いる場合の色としては、青色の発光ダイオード２３ａを用いるとよく、病院の病室等で使用される冷蔵庫１の場合、収納ケース９を青白く照らすことで収納ケース９内を清潔に感じることができ、また前面扉３の表面に配置されている導光板２４の前面側端部２４ｂに青色で目に優しい安心感のある光が点灯し、室内が明るい状況でも冷蔵庫１に電源が入っていることが一目で確認でき、また、夜間等でも明る過ぎず人の睡眠の妨げになり難いという効果が得られる。また、青色の発光ダイオード２３ａを用いる代わりに、照明２３の外郭を覆う透明樹脂部材の照明カバー２３ｂを光が透過できる程度の青色に着色して透過する発光ダイオード２３ａからの光を青色にしてもよく、同様に収納ケース９内を青白く照らすことで収納ケース９内を清潔に感じることができ、また前面扉３の表面に配置されている導光板２４の前面側端部２４ｂに青色で目に優しい安心感のある光が点灯し、室内が明るい状況でも冷蔵庫１に電源が入っていることが一目で確認でき、また、夜間等でも明る過ぎず人の睡眠の妨げになり難く、病院の病室での利用に適しているという効果が得られる。
【００３１】
また、上記の例では導光板２４の前面側端部２４ｂが前面扉３の前面の前面手掛け穴３ｄ内に配置し、前面手掛け穴３ｄを上下に広く形成でき、また、前面側端部２４ｂを傾斜した図６のθ３の面に合わせて上方から前面側端部２４ｂが見易いものを示したが、図１０に示すように前面手掛け穴３ｄの上下の幅を少し狭く形成して導光板２４の前面側端部２４ｂを前面手掛け穴３ｄの下の前面扉３の前面に露出するようにしてもよい。
【００３２】
上記の例では前面側端部２４ｂが凸凹の無い平坦な例を示したが、前面側端部２４ｂは表面にシボ加工を施して発光ダイオード２３ａからの光が前面側端部２４ｂにぼやけた感じに光るようにしてもよく、夜間に明るすぎず、病院の病室での利用に適している。
【００３３】
以上のようにこの実施の形態によれば以下のような効果が得られる。
この実施の形態１によれば、外箱５、外箱５の内側に設けられた内箱４及び外箱５と内箱４の間に設けられた断熱材を有する前面が開放された断熱容器２と、断熱容器２に取り付けられたサーモモジュール１６と、断熱容器２の内箱４天面の前方に設けられ、サーモモジュール１６の運転中に常時点灯する照明２３と、照明２３を覆う透明樹脂部材で形成された照明カバー２３ｂと、内箱４の左右側面板１１，１２に設けられたレール部１１ａ，１２ａと、レール部１１ａ，１２ａを介して前後に移動可能な左右フレーム６，７を裏面に有し、断熱容器２の前面を開閉自在に塞ぐ前面扉３と、前面扉３の後面側に取り付けられ、前面扉３が前後に移動されることにより断熱容器２内外に出し入れされる収納ケース９と、前面扉３の後面側から前面側まで前面扉３を前後に貫通し、照明２３に対向して配置された前面扉３の後面側に露出する後面側端部２４ａ及び後面側端部２４ａの位置より下方に配置された前面扉３の前面側に露出する前面側端部２４ｂを有し、光が透過する透明樹脂部材で形成され、後面側端部２４ａから流入した照明２３の光が内部を透過して前面側端部２４ｂで見えるように設けた導光板２４を備えたので、前面扉３を開けなくても保存庫（冷蔵庫１）に電源が入って運転されていることを保存庫の外側前方から一目で確認することができるという効果がある。
【００３４】
また、照明２３は発光ダイオード２３ａにより照明するものであって、発光ダイオード２３ａは下側前方を照らすように垂直に対して０度〜２０度の角度の範囲で下側前方に向けて取り付けられ、導光板２４の後面側端部２４ａの上下方向の位置を発光ダイオード２３ａの発光部に対して４０度〜６０度の角度の範囲に配置したので、発光ダイオード２３ａの光を導光板２４の後面側端部２４ａに取り込み易いという効果が得られる。
【００３５】
また、照明２３に色付きの発光ダイオード２３ａを使用し、導光板２４に着色された光を透過させるようにしたので、明るい部屋でも導光板２４の前面側端部２４ｂに色つきの光が見えるので、見えやすいという効果がある。
【００３６】
また、発光ダイオード２３ａに青色の光を発光する発光ダイオード２３ａを使用し、導光板２４に青色の光を透過させるようにすれば、庫内が青色の照明で清潔感があるように見え、また、明るい部屋でも導光板２４の前面側端部２４ｂに青色の光が見えるので、見えやすく、青色で落ち着いた色のため、病院の病室で使いやすいという効果がある。
【００３７】
また、照明カバー２３ｂを着色した透明樹脂部材で形成し、導光板２４に着色した光を透過させるようにしてもよく、同様に明るい部屋でも導光板２４の前面側端部２４ｂに色つきの光が見えるので、見えやすいという効果がある。
【００３８】
また、照明カバー２３ｂを青色に着色した透明樹脂部材で形成し、導光板２４に青色の光を透過させるようにしてもよく、同様に庫内が青色の照明で清潔感があるように見え、また、明るい部屋でも導光板２４の前面側端部２４ｂに青色の光が見えるので、見えやすく、青色で落ち着いた色のため、病院の病室で使いやすいという効果がある。
【００３９】
また、導光板２４は、後面側端部２４ａより前面側端部２４ｂが下方に位置するように水平に対して３０度〜５０度の範囲で傾斜して配置したので、後面側端部２４ａから前面側端部２４ｂまでの距離が長くなり、照明装置の光が適度に弱められて夜間等に明るすぎることがなく、前面側端部２４ｂを見やすいという効果が有る。また、前面扉３の上部に前面手掛け穴３ｄ等の手掛け部を形成するのに邪魔にならないという効果も有る。
【００４０】
また、前面扉３は上面部に左右に広く開けた上面手掛け穴３ｃと、前面扉３の前面上部に左右に広く開けた前面手掛け穴３ｄと、上面手掛け穴３ｃから前面手掛け穴３ｄまで貫通させた貫通穴部３ｅと、を形成したので、上からも前からも手を掛けて前面扉３を容易に開ける事ができ、また貫通穴部３ｅを通してタオル等を上面手掛け穴３ｃから前面手掛け穴３ｄに通してタオル等を引っ張る事で容易に前面扉３を開けることができ、病院の病室での利用に適しているという効果がある。
【００４１】
また、前面手掛け穴３ｄの下辺３ｆから上面手掛け穴３ｃの後辺３ｇへと繋がるように後方へ行くに従って上方へ斜めに傾斜させた前面扉３の前面に、導光板２４の前面側端部２４ｂを配置したので、前面手掛け穴３ｄを上下に広く形成しても導光板２４の前面側端部２４ｂを見ることができるという効果が得られる。
【００４２】
また、導光板２４は、幅を１０ｍｍ〜３０ｍｍ、板厚を１ｍｍ〜４ｍｍの範囲で構成したので、成形しやすく安価に形成できるという効果がある。
【００４３】
また、導光板２４の前面側端部２４ｂは、シボ加工を施したので、柔らかい光で眩し過ぎないものが得られるという効果が有る。
【００４４】
また、導光板２４の後面側端部２４ａ側に前面扉３の前側部材３ａに形成した突形状部３ｊに引っ掛けられる係止部２４ｄを設け、突形状部３ｊに係止部２４ｄを引っ掛けて、前面扉３の後側部材３ｂを前側部材３ａに重ねることで導光板２４が前面扉３内に配置され、前面扉３内に注入される断熱材が前側部材３ａ、後側部材３ｂ及び導光板２４に接着して導光板２４が前面扉３内に固定されるようにしたので、容易かつ強固に導光板２４が前面扉３内に固定されるという効果がある。
【００４５】
また、収納物の収容量が１０〜４０リットルとしたので、病院の病室で利用する保存庫に適している。
【００４６】
また、温度調整装置にペルチェ素子を使用して保冷を行う冷蔵庫１にしたので、静かな病院の病室での利用に適している。
【００４７】
なお、本願発明はその発明の範囲内において、実施の形態の任意の構成要素の変形、もしくは実施の形態の任意の構成要素の省略が可能である。
【符号の説明】
【００４８】
１  冷蔵庫（保存庫）、２  断熱容器、３  前面扉、３ａ  前側部材、３ｂ  後側部材、３ｃ  上面手掛け穴、３ｄ  前面手掛け穴、３ｅ  貫通穴部、３ｆ  下辺、３ｇ  後辺、３ｈ  前側穴部、３ｉ  後側穴部、３ｊ  突形状部、３ｋ  ガイド部、４  内箱、５  外箱、６  左フレーム、７  右フレーム、８  ステー、９  収納ケース、１０  伝熱板、１１  左側面板、１１ａ  レール部、１１ｂ  ローラ、１２  右側面板、１２ａ  レール部、１２ｂ  ローラ、１３  下方三面部材、１４  上面部材、１５  背面部材、１６  サーモモジュール（温度調整装置、ペルチェ素子）、１７  伝熱ブロック、１８  ヒートシンク、１９  背面カバー、１９ａ  吸込口、１９ｂ  排気口、２０  送風ファン、２１  ドレンパン、２２  フィルタ、２３  照明（照明装置）、２３ａ  発光ダイオード（発光部）、２３ｂ  照明カバー、２３ｃ  垂直線、２４  導光板、２４ａ  後面側端部、２４ｂ  前面側端部、２４ｃ  導光部、２４ｄ  係止部、２５  ガスケット。
【図１】
2019019987.tif 000003
【図２】
2019019987.tif 000004
【図３】
2019019987.tif 000005
【図４】
2019019987.tif 000006
【図５】
2019019987.tif 000007
【図６】
2019019987.tif 000008
【図７】
2019019987.tif 000009
【図８】
2019019987.tif 000010
【図９】
2019019987.tif 000011
【図１０】
2019019987.tif 000012